(57)【要約】【課題】アキシャル荷重を受けた場合であっても保持器に応力を発生させることなく、保持器の損傷を防止することができるケージアンドローラ及び転がり軸受を提供する。【解決手段】本発明に係るケージアンドローラ１０は、一対の円環部２１，２１と、一対の円環部２１，２１の外周面２３，２３間を連結して円周方向に所定の間隔で配置される複数の柱部２６と、を有する保持器２０を備える。さらに、本発明に係るケージアンドローラ１０は、円周方向に隣接する二つの柱部２６，２６の対向する円周方向面と、一対の円環部２１，２１の対向する軸方向面２２，２２と、によって形成されるポケットにそれぞれ配置される複数のころ３０を備える。【選択図】図１
2012177433.tif 000002
【特許請求の範囲】
【請求項１】
一対の円環部と、前記一対の円環部の外周面間を連結して円周方向に所定の間隔で配置される複数の柱部と、を有する保持器と、
円周方向に隣接する二つの前記柱部の対向する円周方向面と前記一対の円環部の対向する軸方向面とによって形成されるポケットにそれぞれ配置される複数のころと、
を備えるケージアンドローラ。
【請求項２】
内方部材と、
前記内方部材の周囲に前記内方部材と同心に配置される外方部材と、
一対の円環部及び前記一対の円環部の外周面間を連結して円周方向に所定の間隔で配置される複数の柱部を有する保持器と、
前記一対の円環部と互いに隣り合う前記柱部によって形成される前記保持器のポケットにそれぞれ配置される複数のころと、
を備える転がり軸受。
【発明の詳細な説明】
【技術分野】
【０００１】
本発明は、ケージアンドローラ及び転がり軸受に関する。
【背景技術】
【０００２】
従来、ケージアンドローラは、内外輪を用いずに、複数個のころと、これらのころを保持する保持器とで構成される組み合わせ軸受であり、組み込む寸法領域が小さく済む上、取り扱いも比較的容易であることから、様々な機械装置に組み込まれている。
【０００３】
従来のケージアンドローラとして、図４に示すように、内径開放型のＭ型形状の保持器１２０を備えたケージアンドローラ１００が知られている。この従来のケージアンドローラ１００の保持器１２０は、軸方向に離間して配置された一対のフランジ部１２１，１２１を有する。各フランジ部１２１は、円環部１２２と、円環部１２２の外周側に位置する屈曲部１２５と、屈曲部１２５から軸方向に延在する軸方向縁部１２３と、を有する。保持器１２０は、一対のフランジ部１２１，１２１の対向する軸方向縁部１２３，１２３を連結する複数の柱部１２６と、を有し、一対のフランジ部１２１と、円周方向に隣接する２つの柱部１２６との間に、ころ１３０が収容されている。円周方向に隣接する２つの柱部１２６間の距離は、ころ１３０の径より小さくなるように構成されており、これによりころ１３０がパチン挿入され、保持器１２０に保持される。
【０００４】
図４に示される従来のケージアンドローラ１００に対してアキシャル荷重が加えられると、ころ１３０の端面１３１が、保持器１２０のフランジ部１２１の軸方向縁部１２３と接触する。このとき、ころ１３０の端面１３１とフランジ部１２１の軸方向縁部１２３との接触点を中心にモーメント力が発生し、フランジ部１２１の屈曲部１２５や、柱部１２６の屈曲した部分に曲げ応力が生じて、保持器１２０が損傷してしまうおそれがあった。
【０００５】
このような問題に鑑み、近年、内径側を案内面とする外径開放型保持器を備えたケージアンドローラによって、アキシャル荷重が加えられたときに保持器に発生する曲げ応力を低減することが提案されている（例えば、特許文献１参照）。
【先行技術文献】
【特許文献】
【０００６】
【特許文献１】特開２００９−２７５９０９号公報
【発明の概要】
【発明が解決しようとする課題】
【０００７】
しかしながら、特許文献１に記載されたケージアンドローラにおいても、アキシャル荷重が加えられたとき、ころの端面と保持器のフランジ部の軸方向縁部とが接触するため、保持器に曲げ応力が発生してしまう。
【０００８】
本発明は、上記事情に鑑みて為されたものであり、その目的は、アキシャル荷重が加えられた場合であっても、保持器に応力を発生させることなく、保持器の損傷を防止することができるケージアンドローラ及び転がり軸受を提供することにある。
【課題を解決するための手段】
【０００９】
本発明の上記目的は、下記の構成により達成される。
（１）  一対の円環部と、前記一対の円環部の外周面間を連結して円周方向に所定の間隔で配置される複数の柱部と、を有する保持器と、
円周方向に隣接する二つの前記柱部の対向する円周方向面と前記一対の円環部の対向する軸方向面とによって形成されるポケットにそれぞれ配置される複数のころと、
を備えるケージアンドローラ。
（２）  内方部材と、
前記内方部材の周囲に前記内方部材と同心に配置される外方部材と、
一対の円環部及び前記一対の円環部の外周面間を連結して円周方向に所定の間隔で配置される複数の柱部を有する保持器と、
前記一対の円環部と互いに隣り合う前記柱部によって形成される前記保持器のポケットにそれぞれ配置される複数のころと、
を備える転がり軸受。
【発明の効果】
【００１０】
本発明のケージアンドローラ及び転がり軸受によれば、アキシャル荷重が加えられた場合であっても、保持器に応力を発生させることなく、保持器の損傷を防止することができる。
【図面の簡単な説明】
【００１１】
【図１】本発明の一実施形態に係るケージアンドローラであり、保持器柱部の円周方向中間部にて切断した断面図である。
【図２】本発明の第１変形例に係るケージアンドローラであり、保持器柱部の円周方向中間部にて切断した断面図である。
【図３】本発明の第２変形例に係るケージアンドローラであり、保持器柱部の円周方向中間部にて切断した断面図である。
【図４】従来のケージアンドローラであり、保持器柱部の円周方向中間部にて切断した断面図である。
【発明を実施するための形態】
【００１２】
以下、本発明の一実施形態に係るケージアンドローラについて図面を参照して詳細に説明する。
【００１３】
図１は本発明の一実施形態に係るケージアンドローラ１０の円周方向断面図を示す。このケージアンドローラは、保持器２０及び複数のころ３０を備える。
【００１４】
保持器２０は、金属材料または非金属材料（例えば樹脂等）により形成されており、互いに同軸に配置された一対の円環部２１と、一対の円環部２１間に円周方向に所定の間隔で配置される複数の柱部２６とを有する。複数のころ３０は円筒状（ニードル状）部材であり、一対の円環部２１，２１の対向する軸方向面２２，２２と、隣接する２つの柱部２６，２６と、により形成されるポケットには、円筒状（ニードル状）のころ３０が転動自在に一つずつ収容されている。
【００１５】
柱部２６は、一対の円環部２１の外周面２３と接続する一対の基部２７，２７と、Ｍ字形状のころ保持部２８と、を有する。柱部２６は、隣り合うころ保持部２８，２８間の距離がころ３０の径より小さくなるように配置されており、ころ３０がポケットにパチン挿入されて保持できるようになっている。また、ころ保持部２８の円周方向面にはバレ止め部（不図示）が形成されており、ころ３０がポケットから脱落することを防止している。
【００１６】
ケージアンドローラ１０にアキシャル荷重が加えられると、ころ３０の端面３１が保持器２０に押し付けられる。このような場合であっても、本実施形態のケージアンドローラ１０では、ころ３０の端面３１が円環部２１の軸方向面２２に押し付けられるので、保持器２０の円環部２１に曲げ応力が発生せず、保持器２０の損傷を防止することができる。また、ころ３０の端面３１が円環部２１の軸方向面２２と接触する面積が比較的大きくなることにより接触面圧が過度なものとならず、保持器２０やころ３０の損傷をさらに防止することができる。
【００１７】
本発明は、前述した実施形態に限定されるものではなく、変更、改良等が適宜可能である。例えば、図２に示される第１変形例のケージアンドローラ１０Ａは、保持器２０Ａの円環部２１Ａの内周側を軸方向外方へと折り曲げ加工することにより、円環状の補強部２４をさらに備えている。第１変形例のケージアンドローラ１０Ａによれば、アキシャル荷重が加えられて、ころ３０の端面３１が円環部２１Ａの軸方向面２２に押し付けられた場合に、円環部２１Ａの強度が向上しているので、保持器２０の損傷をさらに防止することができる。
【００１８】
また、保持器のころ保持部はＭ字形状のものに限定されない。例えば、図３に示される第２変形例のケージアンドローラ１０Ｂのように、保持器２０Ｂの一対の円環部２１，２１の外周面２３，２３を連結する柱部２６Ｂが、直線形状のころ保持部２８Ｂを有していてもよい。
【００１９】
また、前述した実施形態では、内外輪を用いずに、複数のころと、これらのころを保持する保持器と、により構成されるケージアンドローラについて説明したが、これに限定されない。複数のころが転動する少なくとも一つの軌道輪と、ころ及び保持器を前記したケージアンドローラと、により構成される転がり軸受も、本発明に含まれる。この場合、保持器の案内方式は、内輪案内方式であっても外輪案内方式であってもよい。
【符号の説明】
【００２０】
１０，１０Ａ，１０Ｂ        ケージアンドローラ
２０，２０Ａ，２０Ｂ        保持器
２１，２１Ａ      円環部
２２    軸方向面
２６      柱部
３０      ころ
３１      端面
【図１】
2012177433.tif 000003
【図２】
2012177433.tif 000004
【図３】
2012177433.tif 000005
【図４】
2012177433.tif 000006